【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
供給原油から石油化学製品及び燃料製品を製造する統合プロセスであって、
常圧蒸留ユニット（ＡＤＵ）において、前記供給原油から、少なくとも
直留ナフサを含む第一ＡＤＵ留分、
前記供給原油から出る中質留分の少なくとも一部を含む第二ＡＤＵ留分、及び
常圧残油を含む第三ＡＤＵ留分
を分離すること、
減圧蒸留ユニット（ＶＤＵ）において、前記第三ＡＤＵ留分から、少なくとも
減圧軽油を含む第一ＶＤＵ留分、及び
減圧残油を含む第二ＶＤＵ留分
を分離すること、
留分水素化処理（ＤＨＰ）域において、前記第二ＡＤＵ留分から出る中質留分を水素化処理すること、ならびに少なくとも、第一ＤＨＰ留分及び第二ＤＨＰ留分を回収することであって、前記第一ＤＨＰ留分は、ナフサを含み、及び前記第二ＤＨＰ留分は、ディーゼル燃料製造に使用される、前記水素化処理すること、ならびに前記回収すること、
混合原料水蒸気分解（ＭＦＳＣ）域において、前記第一ＡＤＵ留分から出るナフサ及び芳香族化合物抽出域に由来する抽残液を、水蒸気分解することであって、前記ＭＦＳＣ域における水蒸気分解は、Ｈ２、メタン、エタン、エチレン、混合Ｃ３、及び混合Ｃ４を含む混合生成物流；熱分解ガス、及び熱分解油を回収するのに有効な条件下にある、前記水蒸気分解すること、
前記混合生成物流から、Ｈ２、メタン、非オレフィンＣ２−Ｃ４、ならびに石油化学製品であるエチレン、プロピレン、及びブチレンを回収すること、
ナフサ水素化処理域において、水蒸気分解から出た熱分解ガスを水素化処理すること、及び水素化精製された熱分解ガスを回収すること、
芳香族化合物抽出域において、石油化学芳香族化合物製品回収のため、水素化精製熱分解ガスから芳香族化合物を、及び芳香族化合物抽出域抽残液を分離することであって、芳香族化合物抽出に由来する前記抽残液は、前記芳香族化合物抽出域抽残液の全部または一部である、前記分離すること、
減圧残油水素化分解域（ＶＲＨＣＫ）において、前記減圧残油の少なくとも一部を水素化分解すること、ＬＰＧ、ナフサ、及び中質留分範囲の成分を含む常圧残油終点以下で沸騰するＶＲＨＣＫ生成物を回収すること、及びＶＲＨＣＫ水素化分解軽油を回収すること
を含む、前記統合プロセス。
【請求項２】
前記ＶＲＨＣＫ水素化分解軽油の少なくとも一部は、少なくとも、Ｈ２、メタン、エタン、エチレン、混合Ｃ３、及び混合Ｃ４を含む混合生成物流、芳香族化合物抽出に供されるさらなる熱分解ガス、ならびにさらなる熱分解油を、回収するのに有効な条件下で作動する軽油水蒸気分解（ＧＯＳＣ）域に送られる、請求項１に記載のプロセス。
【請求項３】
前記第一ＶＤＵ留分から出る減圧軽油を、軽油水素化処理（ＧＯＨＰ）域において、水素化処理すること、
ＬＰＧ、ナフサ、及び中質留分範囲の成分を含む常圧残油終点以下で沸騰する成分を含有する第一ＧＯＨＰ留分、及び水素化精製軽油または減圧軽油範囲の未転化油である重質油を含有する第二ＧＯＨＰ留分を回収することをさらに含み、選択的に前記ＧＯＨＰ中の前記ＶＲＨＣＫ水素化分解軽油の少なくとも一部を、水素化処理することをさらに含む、請求項１に記載のプロセス。
【請求項４】
さらに、前記第二ＡＤＵ留分中の前記中質留分は、前記ＧＯＨＰ域または前記ＧＯＳＣ域で処理される重質常圧軽油を含む、請求項３に記載のプロセス。
【請求項５】
前記第二ＡＤＵ留分中の前記中質留分は、灯油燃料製品を回収するために灯油精製プロセスで処理される灯油、及び前記留分水素化処理域で処理される前記第二ＡＤＵ留分の前記一部である直留ディーゼル留分を含む、請求項３または４に記載のプロセス。
【請求項６】
前記混合生成物流から回収される非オレフィンＣ４は、前記混合原料流分解域に循環使用されるか、またはさらなる石油化学製品の製造のため、別個の処理域に循環使用され、前記別個の処理域は、前記非オレフィンＣ４のブテンを混合ブタノールに転化するか、または前記ＭＦＳＣ域に循環使用される石油化学プロピレンとＣ４／Ｃ５抽残液流を生成するメタセシス反応域である請求項１から５のいずれか１項に記載のプロセス。
【請求項７】
前記水素化精製熱分解ガスからＣ５を回収すること、
さらなる石油化学製品の製造のため、前記回収されたＣ５を、前記別個の処理域に送ること、
前記回収されたエチレンの一部を、前記別個の処理域に送ること
をさらに含み、
前記別個の処理域は、メタセシス反応域であり、石油化学プロピレン及びＣ４／Ｃ５抽残液流を生成し、Ｃ４／Ｃ５抽残液流は、前記混合原料流分解域に循環使用される、請求項６に記載のプロセス。
【請求項８】
前記水素化精製熱分解ガスからＣ５を回収すること、
前記回収されたＣ５を、前記ＭＦＳＣ域に、さらなる石油化学製品の製造のため前記別個の処理域に、または前記混合原料流分解域及びさらなる石油化学製品の製造のため前記別個の処理域の両方に送ること、
をさらに含む、請求項１から７のいずれか１項に記載のプロセス。
【請求項９】
石油化学製品及び燃料製品を製造する統合システムであって、
供給原油（１０２）を受け取って、分離し、ナフサを含む第一ＡＤＵ留分（１３６）、前記供給原油からの中質留分の少なくとも一部を含む第二ＡＤＵ留分（１２２）、及び常圧残油を含む第三ＡＤＵ留分（１１４）を排出するように作動可能な常圧蒸留ユニット（ＡＤＵ）（１１０）；
前記第三ＡＤＵ留分（１１４）を受け取って、分離し、減圧軽油を含む第一ＶＤＵ留分（１６２）と減圧残油を含む第二ＶＤＵ留分（１６８）を排出するように作動可能な減圧蒸留ユニット（ＶＤＵ）（１６０）；
前記第二ＡＤＵ留分（１２２）からの中質留分を受け取って、第一ＤＨＰ留分（１８４）及び第二ＤＨＰ留分（１８２）に転化するように作動可能な留分水素化処理（ＤＨＰ）域（１８０）であって、前記第一ＤＨＰ留分はナフサを含み、前記第二ＤＨＰ留分はディーゼル燃料製造に使用される前記留分水素化処理（ＤＨＰ）域（１８０）；
前記第一ＡＤＵ留分（１３６）からのナフサと芳香族化合物抽出域（６２０）から得られるＣ６-Ｃ９非芳香族抽残液流（６４６）を受け取って、熱分解するように作動可能な混合原料水蒸気分解（ＭＦＳＣ）域（２３０）を含む水蒸気分解域であって、前記水蒸気分解域は、混合されたＣ１-Ｃ４パラフィン及びオレフィンを含む混合生成物流（２３２）、原熱分解ガソリン流（２３４）、及び熱分解油流（２３６）を生成するように作動可能である、水蒸気分解域；
前記原熱分解ガソリン流（２３４，２５４）を受け取って、処理し、水素化精製熱分解ガソリン流（６０４）を生成するように作動可能なナフサ水素化処理域（６００）；
前記水素化精製熱分解ガソリン流（６０４）を受け取って、１つまたは複数の芳香族化合物生成物流（６２４，６２６）と、前記Ｃ６-Ｃ９非芳香族抽残液流（６４６）に、分離するように作動可能な前記芳香族化合物抽出域（６２０）；及び
水素化分解軽油留分（８０６）及び中質留分流（８１２）を生成するように、減圧残油を含む前記第二ＶＤＵ留分（１６８）を受け取って、処理するように作動可能な減圧残油水素化分解域（ＶＲＨＣＫ）（８００）
を含む、前記統合プロセス。
【請求項１０】
前記水蒸気分解域は、前記水素化分解軽油留分（８０６）を受け取って、熱分解するように作動可能な軽油水蒸気分解（ＧＯＳＣ）域（２５０）を含む、請求項９に記載のシステム。
【請求項１１】
前記第一ＶＤＵ留分（１６２）から減圧軽油を受け取って、処理し、ナフサ範囲成分を含む第一ＧＯＨＰ留分（３０６/３２６）と、水素化精製軽油または減圧軽油範囲の未転換油である重質油を含む第二ＧＯＨＰ留分（３０４/３２４）を生成するように作動可能な軽油水素化処理（ＧＯＨＰ）域（３００/３２０）をさらに含む、請求項９または１０に記載のシステム。
【請求項１２】
前記ＧＯＨＰ域（３００／３２０）は、前記水素化分解軽油留分（８０６）を受け取って、処理するように作動可能である、請求項１１に記載のシステム。
【請求項１３】
前記ＭＦＳＣ域（２３０）は、前記第一ＤＨＰ留分（１８４）からのナフサ、前記第一ＧＯＨＰ留分（３０６／３２６）からのナフサ、または前記第一ＤＨＰ留分（１８４）からのナフサ及び前記ＧＯＨＰ留分（３０６／３２６）からのナフサの両方を受け取って、熱分解するように作動可能である、請求項１１または１２に記載のシステム。
【請求項１４】
前記ナフサ水素化処理域（６００）は、Ｃ５流（６０６）を生成するように作動可能であり、前記ＭＦＳＣ域（２３０）は、前記Ｃ５流（６０６）を受け取って、熱分解するように作動可能である、請求項９から１３のいずれか１項に記載のシステム。
【請求項１５】
前記ＡＤＵ（１１０）は、前記第一ＤＨＰ留分（１８４）からのナフサ、前記ＧＯＨＰ留分（３０６／３２６）からのナフサ、または前記第１のＤＨＰ留分（１８４）からのナフサ及び前記ＧＯＨＰ留分（３０６／３２６）からのナフサの両方を受け取って、分離するようにさらに作動可能である、請求項９から１４のいずれか１項に記載のシステム。
【請求項１６】
前記混合生成物（２３２，２５２）を受け取って、燃料ガス流（２０８）、エチレン流（２０２）、混合Ｃ３流（２８６）、及び混合Ｃ４流（２０６）に分離するように作動可能なオレフィン回収トレイン（２７０）と、混合生成物流から回収されたＣ４の一部を受け取って、オレフィン流（５２２）及び非オレフィンス流（５２４）に分離するように作動可能なＣ４蒸留ユニット（５２０）とをさらに含む、請求項９から１５のいずれか１項に記載のシステム。
【請求項１７】
前記ＭＦＳＣ域（２３０）は、前記非オレフィン流（５２４）を受け取って、熱分解するように作動可能であり；
前記システムは、
前記Ｃ４蒸留ユニット（５２０）からの混合ブタノール（５５２）を受け取って、混合ブタノール生成流（５５４）に転化するように作動可能な混合ブタノール生成域（５５０）；または
Ｃ５流（６０６）の全部または一部を受け取って、プロピレン流（５３４）、及びＣ４／Ｃ５抽残液流（５３８）に転化するように作動可能なメタセシス反応域（５３０）であって、前記ＭＦＳＣ域は、Ｃ４／Ｃ５抽残液流（５３８）を受け取って、熱分解するように作動可能である、メタセシス反応域（５３０）をさらに含む、請求項１６に記載のシステム。